(57)【要約】【課題】ノイズの累積量に応じて適切な入力断検出閾値を自動的に設定する。【解決手段】受信装置１００ｒにおいて、光制御通知送信部１Ａ０ｒが、運用ルートを介して接続された送信装置１００ｓに対して、光信号の出力停止を依頼する光シャットダウン通知を送信し、光入力断検出閾値制御部１７７ｒが、光制御通知送信部１Ａ０ｒによって送信されたシャットダウン通知に応じて送信装置１００ｓが光信号の出力停止を行った後に、ＰＤモニタ１７５ｒによって計測された光レベルを光入力断検出閾値として設定する。【選択図】        図２
2009130505.tif 000002
【特許請求の範囲】
【請求項１】
現用系の光伝送路から入力される光の光レベルが、光入力断を検出する基準となる光入力断検出閾値以下となった場合に、光信号を受信する光伝送路を現用系から予備系に切り替える光伝送装置であって、
前記現用系の光伝送路から入力される光の光レベルを計測する光レベル計測手段と、
前記光レベル計測手段により計測された光レベルのうち累積ノイズの光レベルのみを検出し、検出した光レベルを前記光入力断検出閾値として設定する光入力断検出閾値設定手段と、
を備えたことを特徴とする光伝送装置。
【請求項２】
前記現用系の光伝送路を介して接続された送信元の光伝送装置に対して、光信号の出力停止を依頼する光シャットダウン通知を送信する光シャットダウン通知送信手段をさらに備え、
前記光入力断検出閾値設定手段は、前記光シャットダウン通知送信手段により送信された光シャットダウン通知に応じて前記送信元の光伝送装置が光信号の出力停止を行った後に、前記光レベル計測手段により計測された光レベルを前記光入力断検出閾値として設定することを特徴とする請求項１に記載の光伝送装置。
【請求項３】
前記現用系の光伝送路から入力される光の帯域から光信号が含まれる帯域を削除する光信号帯域削除手段をさらに備え、
前記光レベル計測手段は、前記光信号帯域削除手段により前記光信号の帯域が削除された累計ノイズのみの光レベルを計測し、
前記光入力断検出閾値設定手段は、前記光レベル計測手段により計測された光レベルを前記光入力断検出閾値として設定することを特徴とする請求項１に記載の光伝送装置。
【請求項４】
前記現用系の光伝送路から入力される光の光信号ノイズ比を測定する光信号ノイズ比測定手段と、
前記光信号ノイズ比測定手段により測定された光信号ノイズ比に基づいて、累積ノイズのみの光レベルを算出する累積ノイズレベル算出手段と、をさらに備え、
前記光入力断検出閾値設定手段は、前記累積ノイズレベル算出手段により算出された光レベルを前記光入力断検出閾値として設定することを特徴とする請求項１に記載の光伝送装置。
【請求項５】
前記現用系の光伝送路に配置されている光増幅器の段数を累計する光増幅器段数累計手段と、
前記光増幅器段数累計手段により累計された前記光増幅器の累計段数に基づいて、前記累積ノイズのみの光レベルを算出する累積ノイズレベル算出手段と、をさらに備え、
前記光入力断検出閾値設定手段は、前記累積ノイズレベル算出手段により算出された光レベルを前記光入力断検出閾値として設定することを特徴とする請求項１に記載の光伝送装置。
【請求項６】
現用系の光伝送路から入力される光の光レベルが、光入力断を検出する基準となる光入力断検出閾値以下となった場合に、光信号を受信する光伝送路を現用系から予備系に切り替える光伝送装置に適用される光入力断検出閾値設定方法であって、
前記現用系の光伝送路から入力される光の光レベルを計測する光レベル計測工程と、
前記光レベル計測工程により計測された光レベルのうち累積ノイズの光レベルのみを検出し、検出した光レベルを前記光入力断検出閾値として設定する光入力断検出閾値設定工程と、
を含んだことを特徴とする光入力断検出閾値設定方法。
【請求項７】
現用系の光伝送路から入力される光の光レベルが、光入力断を検出する基準となる光入力断検出閾値以下となった場合に、光信号を受信する光伝送路を現用系から予備系に切り替える光伝送装置に適用される光入力断検出閾値設定プログラムであって、
前記現用系の光伝送路から入力される光の光レベルを計測する光レベル計測手順と、
前記光レベル計測手順により計測された光レベルのうち累積ノイズの光レベルのみを検出し、検出した光レベルを前記光入力断検出閾値として設定する光入力断検出閾値設定手順と、
をコンピュータに実行させることを特徴とする光入力断検出閾値設定プログラム。
【発明の詳細な説明】
【技術分野】
【０００１】
この発明は、現用系の光伝送路から入力される光の光レベルが、光入力断を検出する基準となる光入力断検出閾値以下となった場合に、光信号を受信する光伝送路を現用系から予備系に切り替える光伝送装置、光入力断検出閾値設定方法および光入力断検出閾値設定プログラムに関し、特に、ノイズの累積量に応じて適切な入力断検出閾値を自動的に設定することができる光伝送装置、光入力断検出閾値設定方法および光入力断検出閾値設定プログラムに関するものである。
【背景技術】
【０００２】
近年、大容量化および長距離化が進む光リングネットワークにおいて、ネットワーク内の障害に対する冗長構成を実現するＯＵＰＳＲ（Optical Unidirectional Path Switched Ring）技術が用いられている。
【０００３】
図１４は、ＯＵＰＳＲ技術を説明するための説明図である。ＯＵＰＳＲ技術を用いた光リングネットワークでは、同図（１）に示すように、通常時には、送信側の光伝送装置１０ｓは、同一の信号を時計回りと反時計回りの双方に流し、受信側の光伝送装置１０ｒは、そのどちらか一方を選択して通常の通信を行う。
【０００４】
そして、選択している方に障害が発生した場合は、受信側ノードがこれを検知し、同図（２）に示すように、反対の流れに切り替えて障害を回避する。かかる障害復旧に要する切替時間については、従来のＳＯＮＥＴ／ＳＤＨの規格において、障害復旧時の切替時間の指標として５０ｍｓという指標が規定されている。
【０００５】
通常、ＯＵＰＳＲ技術では、光伝送装置が、受信端のＷｏｒｋ側（現用系）/Ｐｒｏｔｅｃｔｉｏｎ側（予備系）それぞれにＰＤ（Photo Diode）を備え、また、光受信器手前に１×２光スイッチを備え、ＷＯＲＫ側/Ｐｒｏｔｅｃｔｉｏｎ側のＰＤによって光レベルの劣化を監視し、劣化を検出した場合には光スイッチを非障害側へ切り替えることによって、光信号の救済を実現する。
【０００６】
ここで、光伝送装置における受信端のＰＤに入力される光には、通常、光信号＋ＡＳＥ（Amplified Spontaneous Emission）ノイズが含まれる。現状では、光伝送装置は、伝送路障害発生時に、光信号が含まれていない光入力、つまり、ＡＳＥノイズのみの光入力で光入力断の検出が可能な光レベルを光入力断検出閾値として装置内に設定し、この固定の検出閾値で光入力断検出を実現している。
【０００７】
そして、これまでの光ネットワークでは、伝送距離（送信端から受信端までの距離）に配置される光増幅器の数に制限を設けることによって、光信号とＡＳＥノイズとに十分なレベル差があったため、固定の光入力断検出閾値でＯＵＰＳＲによる切替を実現していた。つまり、これまでは、固定値であっても、ＯＵＰＳＲの切替時間に対して要求される性能が十分実現出来ていた。
【０００８】
たとえば、ＷＤＭ（Wavelength Division Multiplexing）伝送装置では、ＯＵＰＳＲの切替条件として、上記Ｗｏｒｋ側／Ｐｒｏｔｅｃｔｉｏｎ側のＰＤによる光レベル監視と、光分岐挿入装置（ＯＡＤＭ：Optical Add Drop Multiplexing）内の光入力断検出による下流局への光チャネル単位での障害情報（ＷＣＦ：Wavelength  Channel Failure)とが用いられる。
【０００９】
ＷＣＦは、光監視装置であるＯＳＣ（Optical Supervisory Channel）によって、受信端まで伝搬される。光分岐挿入装置内における光入力断検出は、ＷＤＭ技術を実現する光合波器の手前に波長単位（Per ch）に配置されたＰＤ、もしくは、ＷＳＳ（Wavelength Select Switch）の後段に配置された光スペクトルアナライザ（ＳＡＵ：Spectrum Analyzer Unit）にて実現する。
【００１０】
この他、光伝送装置において光レベルの劣化を検出する技術としては、たとえば、特許文献１または２に記載された技術などが公知である。また、光信号の劣化警報であるＢＥＲＳＤ（Bit Error Rate Signal Degrade）／ＢＥＲＳＦ（Bit Error Rate Signal Failure）をさらにＯＵＰＳＥＲの切替条件としている光伝送装置も存在している。
【００１１】
【特許文献１】特開２００６−３４５１９４号公報
【特許文献２】特開平１０−３３６１１８号公報
【発明の開示】
【発明が解決しようとする課題】
【００１２】
ところで、通常、上述した光リングネットワークでは、伝送路の長距離化を実現するため、伝送路にはエルビウム添加光ファイバ増幅器(ＥＤＦＡ：Erbium Doped Fiber Amplifier)等の光増幅器が、プリアンプ（Pre AMP）、中継アンプ（In-Line AMP）、ポストアンプ（Post AMP）として配置されるが、近年、これらの光増幅器を多段に通過する光伝送経路において、光増幅器によって発生するＡＳＥノイズの累積が無視出来ない量となってきている。
【００１３】
たとえば、ＷＤＭ光ネットワークでは、一般的に、複数の光信号の波長を包含する波長範囲を纏めて増幅するエルビウム添加光ファイバ増幅器等を用いて光増幅が行われるが、この光増幅ではＡＳＥノイズが発生するため、複数の光分岐挿入装置(ＯＡＤＭ：Optical Add and Drop Multiplexer)を多段に接続して使用する場合、ネットワーク障害が発生した際にＡＳＥノイズの累積を考慮する必要がある。
【００１４】
しかしながら、現在、光入力断検出における閾値は、全波長において、各ユニットの受信側で低い閾値（たとえば、−２４ｄＢｍ）が固定的に設定されているため、ＡＳＥノイズの累積により、実際に光入力断の状態であってもＡＳＥノイズの累積レベルが光入力断検出閾値以上となってしまい、光入力断の検出が確実にできない場合がある。
【００１５】
近年では、伝送路に所定間隔ごとに中継ＡＭＰを設けて、伝送途中で減衰した波長分割多重光を増幅することにより、さらなる長距離伝送が可能となっている。しかし、この中継ＡＭＰを設けたことによって通過ＡＭＰ数が増加し、ＡＳＥノイズがより多く累積するようになっており、累積したＡＳＥがさらに無視出来なくなってきている。
【００１６】
図１５は、多段に配置された中継ＡＭＰによるＡＳＥノイズの累積を示す図である。同図は、特定波長（ｎｍ）での光レベル（ｄＢｍ）を表したものであり、左から１段目のＡＭＰ、２段目のＡＭＰ、３段目のＡＭＰを通過した後の光信号および累積ＡＳＥノイズの光レベルを示している。また、上段は、光入力信号が含まれている場合を示しており、下段は、光入力信号が含まれていない場合を示している。
【００１７】
同図に示すように、通過した中継ＡＭＰの数が増えるに従って、ＡＳＥノイズの累積が増加し、下段右図では、ＡＳＥノイズの累積（たとえば、−２２ｄＢｍ）が光入力断検出の閾値（たとえば、−２４ｄＢｍ）を超えてしまっているため、光入力信号がない状態でも光入力断の検出ができない状態となっている。
【００１８】
一方、光入力断検出以外に、ＯＵＰＳＲの切替条件としてＷＣＦを用いた場合には、スペクトルアナライザのスィープ速度、長距離化に伴う経由局の増大に伴う伝搬遅延時間、装置処理における遅延時間が原因となって、規定されている切替時間を満足出来なくなることも問題として挙げられる。
【００１９】
この発明は、上述した従来技術による問題点を解消するためになされたものであり、ノイズの累積量に応じて適切な入力断検出閾値を自動的に設定することができる光伝送装置、光入力断検出閾値設定方法および光入力断検出閾値設定プログラムを提供することを目的とする。
【課題を解決するための手段】
【００２０】
上述した課題を解決し、目的を達成するため、本発明は、現用系の光伝送路から入力される光の光レベルが、光入力断を検出する基準となる光入力断検出閾値以下となった場合に、光信号を受信する光伝送路を現用系から予備系に切り替える光伝送装置であって、前記現用系の光伝送路から入力される光の光レベルを計測する光レベル計測手段と、前記光レベル計測手段により計測された光レベルのうち累積ノイズの光レベルのみを検出し、検出した光レベルを前記光入力断検出閾値として設定する光入力断検出閾値設定手段と、を備えたことを特徴とする。
【００２１】
また、本発明は、上記の発明において、前記現用系の光伝送路を介して接続された送信元の光伝送装置に対して、光信号の出力停止を依頼する光シャットダウン通知を送信する光シャットダウン通知送信手段をさらに備え、前記光入力断検出閾値設定手段は、前記光シャットダウン通知送信手段により送信された光シャットダウン通知に応じて前記送信元の光伝送装置が光信号の出力停止を行った後に、前記光レベル計測手段により計測された光レベルを前記光入力断検出閾値として設定することを特徴とする。
【００２２】
また、本発明は、上記の発明において、前記現用系の光伝送路から入力される光の帯域から光信号が含まれる帯域を削除する光信号帯域削除手段をさらに備え、前記光レベル計測手段は、前記光信号帯域削除手段により前記光信号の帯域が削除された累計ノイズのみの光レベルを計測し、前記光入力断検出閾値設定手段は、前記光レベル計測手段により計測された光レベルを前記光入力断検出閾値として設定することを特徴とする。
【００２３】
また、本発明は、上記の発明において、前記現用系の光伝送路から入力される光の光信号ノイズ比を測定する光信号ノイズ比測定手段と、前記光信号ノイズ比測定手段により測定された光信号ノイズ比に基づいて、累積ノイズのみの光レベルを算出する累積ノイズレベル算出手段と、をさらに備え、前記光入力断検出閾値設定手段は、前記累積ノイズレベル算出手段により算出された光レベルを前記光入力断検出閾値として設定することを特徴とする。
【００２４】
また、本発明は、上記の発明において、前記現用系の光伝送路に配置されている光増幅器の段数を累計する光増幅器段数累計手段と、前記光増幅器段数累計手段により累計された前記光増幅器の累計段数に基づいて、前記累積ノイズのみの光レベルを算出する累積ノイズレベル算出手段と、をさらに備え、前記光入力断検出閾値設定手段は、前記累積ノイズレベル算出手段により算出された光レベルを前記光入力断検出閾値として設定することを特徴とする。
【００２５】
また、本発明は、上記の発明において、前記現用系の光伝送路に多段に配置されている各光増幅器において実際に生じたノイズの光レベルを累計するノイズレベル累計手段をさらに備え、前記光入力断検出閾値設定手段は、前記ノイズレベル累計手段により累計された光レベルを前記光入力断検出閾値として設定することを特徴とする。
【００２６】
また、本発明は、現用系の光伝送路から入力される光の光レベルが、光入力断を検出する基準となる光入力断検出閾値以下となった場合に、光信号を受信する光伝送路を現用系から予備系に切り替える光伝送装置に適用される光入力断検出閾値設定方法であって、前記現用系の光伝送路から入力される光の光レベルを計測する光レベル計測工程と、前記光レベル計測工程により計測された光レベルのうち累積ノイズの光レベルのみを検出し、検出した光レベルを前記光入力断検出閾値として設定する光入力断検出閾値設定工程と、を含んだことを特徴とする。
【００２７】
また、本発明は、現用系の光伝送路から入力される光の光レベルが、光入力断を検出する基準となる光入力断検出閾値以下となった場合に、光信号を受信する光伝送路を現用系から予備系に切り替える光伝送装置に適用される光入力断検出閾値設定プログラムであって、前記現用系の光伝送路から入力される光の光レベルを計測する光レベル計測手順と、前記光レベル計測手順により計測された光レベルのうち累積ノイズの光レベルのみを検出し、検出した光レベルを前記光入力断検出閾値として設定する光入力断検出閾値設定手順と、をコンピュータに実行させることを特徴とする。
【発明の効果】
【００２８】
本発明によれば、現用系の光伝送路から入力される光の光レベルを計測し、計測した光レベルのうち累積ノイズの光レベルのみを検出し、検出した光レベルを光入力断検出閾値として設定するので、ノイズの累積量に応じて適切な入力断検出閾値を自動的に設定することができるという効果を奏する。
【００２９】
また、本発明によれば、現用系の光伝送路を介して接続された送信元の光伝送装置に対して、光信号の出力停止を依頼する光シャットダウン通知を送信し、送信した光シャットダウン通知に応じて送信元の光伝送装置が光信号の出力停止を行った後に、計測した光レベルを光入力断検出閾値として設定するので、容易に適切な入力断検出閾値を自動的に設定することができるという効果を奏する。
【００３０】
また、本発明によれば、現用系の光伝送路から入力される光の帯域から光信号が含まれる帯域を削除し、光信号の帯域を削除した累計ノイズのみの光レベルを計測し、計測した光レベルを光入力断検出閾値として設定するので、既存のバンドパスフィルターなどを利用することによって、効果的に適切な入力断検出閾値を設定することができるという効果を奏する。
【００３１】
また、本発明によれば、現用系の光伝送路から入力される光の光信号ノイズ比を測定し、測定した光信号ノイズ比に基づいて、累積ノイズのみの光レベルを算出し、算出した光レベルを光入力断検出閾値として設定するので、効率よく、適切な入力断検出閾値を自動的に設定することができるという効果を奏する。
【００３２】
また、本発明によれば、現用系の光伝送路に配置されている光増幅器の段数を累計し、累計した光増幅器の累計段数に基づいて、累積ノイズのみの光レベルを算出し、算出した光レベルを光入力断検出閾値として設定するので、光増幅器の段数に応じて適切な入力断検出閾値を自動的に設定することができるという効果を奏する。
【００３３】
また、本発明によれば、現用系の光伝送路に多段に配置されている各光増幅器において実際に生じたノイズの光レベルを累計し、累計した光レベルを光入力断検出閾値として設定するので、より正確な精度で適切な入力断検出閾値を自動的に設定することができるという効果を奏する。
【発明を実施するための最良の形態】
【００３４】
以下に添付図面を参照して、この発明に係る光伝送装置、光入力断検出閾値設定方法および光入力断検出閾値設定プログラムの好適な実施例を詳細に説明する。なお、本実施例では、ＯＵＰＳＲ技術が用いられたＷＤＭ伝送装置に本発明を適用した場合を中心に説明する。
【００３５】
まず、本発明を適用するＷＤＭ装置の構成について説明する。図１は、本発明を適用するＷＤＭ装置の構成を示す機能ブロック図である。同図に示すように、このＷＤＭ伝送装置１００は、現用系の光伝送路である運用ルートおよび予備系の光伝送路である運用ルートを介して、ＯＵＰＳＲ技術が用いられた光リングネットワークに接続され、光ネットワークを介して、クライアント装置（Ｃｌｉｅｎｔ）２０に接続されている。
【００３６】
また、このＷＤＭ伝送装置１００は、主な機能部として、光信号受信部１１０と、光スイッチ１２０と、光信号送信部１３０と、光信号受信部１４０と、光スイッチ１５０と、光信号送信部１６０と、トランスポンダ１７０と、ＳＡＵ１８０と、ＯＳＣ１９０とを有する。
【００３７】
光信号受信部１１０は、入力側の運用ルートから入力された光信号をプリアンプ１１１で増幅し、増幅した光信号を分波器１１２で波長単位に分波し、光スイッチ１２０に入力する。
【００３８】
光スイッチ１２０は、光信号受信部１１０によって波長単位に分波された光信号をそれぞれの波長に対応したトランスポンダ１７０に入力し、また、各トランスポンダ１７０から入力された光信号を光信号送信部１３０に入力する。
【００３９】
光信号送信部１３０は、光スイッチ１２０から入力された光信号を合波器１３１で合波し、合波した光信号をポストアンプ１３２で増幅して出力側の運用ルートへ出力する。
【００４０】
光信号受信部１４０は、入力側の冗長ルートから入力された光信号をプリアンプ１４１で増幅し、増幅した光信号を分波器１４２で波長単位に分波し、光スイッチ１５０に入力する。
【００４１】
光スイッチ１５０は、光信号受信部１４０によって波長単位に分波された光信号をそれぞれの波長に対応したトランスポンダ１７０に入力し、また、各トランスポンダ１７０から入力された光信号を光信号送信部１６０に入力する。
【００４２】
光信号送信部１６０は、光スイッチ１５０から入力された光信号を合波器１６１で合波し、合波した光信号をポストアンプ１６２で増幅して出力側の運用ルートへ出力する。
【００４３】
トランスポンダ１７０は、クライアント装置２０から送信されたクライアント信号を電気信号に変換した後に、所定の符号化方式で符号化したうえで再度光信号に変換し、変換後の光信号を光スイッチ１２０または１５０の両方へ入力する。
【００４４】
また、トランスポンダ１７０は、光スイッチ１２０から入力された光を検出するためのＰＤ（Photo Diode）１７１と、光スイッチ１５０から入力された光を検出するためのＰＤ１７２とを備えており、通常時には、運用ルート側にある光スイッチ１２０から光信号を入力するが、ＰＤ１７１によって検出される光、すなわち、運用ルートから入力される光の光レベルが光入力断検出閾値以下となった場合には、光スイッチ１７３が、光信号の入力元を冗長ルート側にある光スイッチ１５０に切り替える。なお、ここで用いられる「光入力断検出閾値」とは、障害などの原因で運用ルートから入力する光の入力が断たれているか否かを検出するための基準となる閾値である。
【００４５】
そして、トランスポンダ１７０は、光スイッチ１２０または１５０から光信号が入力されると、その光信号を所定の符号化方式で複合化したうえで再度光信号に変換し、変換後の光信号をクライアント装置２０へ送信する。
【００４６】
なお、ここで説明したトランスポンダ１７０は、実際には光信号の波長単位に複数設けられているが、ここでは説明を簡略化するため、図示を省略している。
【００４７】
ＳＡＵ１８０は、運用ルートおよび冗長ルートから入力される光のスペクトル波形を波長単位に計測する処理部である。ＯＳＣ１９０は、運用ルート経由の光の入出力および冗長ルート経由の光の入出力を監視する処理部である。
【００４８】
以上、本発明を適用するＷＤＭ伝送装置１００について説明した。本発明は、上述したＷＤＭ伝送装置１００において、運用ルートから入力される光の光レベルを計測し、計測した光レベルのうち累積ノイズの光レベルのみを検出し、検出した光レベルを光入力断検出閾値として設定することによって、ＡＳＥノイズの累積量に応じて適切な入力断検出閾値を自動的に設定することを可能にするものである。
【００４９】
以下、本発明の実施例１〜８について具体的に説明してゆく。なお、以下では、運用ルート側における送信側のＷＤＭ伝送装置（以下、「送信装置」と呼ぶ。）と受信側のＷＤＭ伝送装置（以下、「受信装置」と呼ぶ。）との相関について着目し、それぞれの構成および処理の流れについて説明する。
【実施例１】
【００５０】
まず、実施例１について説明する。本実施例１では、受信装置において、運用ルートを介して接続された送信装置に対して、光信号の出力停止を依頼する光シャットダウン通知を送信し、送信した光シャットダウン通知に応じて送信装置が光信号の出力停止を行った後に、計測した光レベルを光入力断検出閾値として設定するようにしている。
【００５１】
図２は、本実施例１に係る送信装置および受信装置を示す図である。なお、ここでは、説明を簡略化するため、本実施例１の特徴を説明する上で必要となる機能部のみを図示するとともに、図１に示した各機能部と同様の役割を果たす機能部については、同一符号を付す（送信装置側の符号には「ｓ」を、受信装置側の符号には「ｒ」を、さらに付加する）こととしてその詳細な説明を省略する。
【００５２】
同図に示すように、本実施例１に係る送信装置１００ｓと受信装置１００ｒとは、インラインアンプが配置された光リングネットワークを介して接続されている。なお、ここではひとつのインラインアンプ３０のみを図示しているが、実際には、光リングネットワーク上には、複数のインラインアンプ３０が多段に配置されている。
【００５３】
送信装置１００ｓは、光スイッチ１２０ｓと、合波器１３１ｓと、ポストアンプ１３２ｓと、波長ごと（Ｃｈ１〜Ｃｈｎ）にそれぞれ設けられたトランスポンダ１７０ｓとを有する。一方、受信装置１００ｒは、プリアンプ１１１ｒと、分波器１１２ｒと、光スイッチ１２０ｒと、波長ごと（Ｃｈ１〜Ｃｈｎ）にそれぞれ設けられたトランスポンダ１７０ｒとを有する。
【００５４】
さらに、送信装置１００ｓの各トランスポンダ１７０ｓは、発光制御部１７４ｓを有しており、受信装置１００ｒの各トランスポンダ１７０ｒは、ＰＤ１７１ｒと、ＰＤモニタ１７５ｒと、光入力断検出回路部１７６ｒと、光入力断検出閾値制御部１７７ｒと、光制御通知送信部１Ａ０ｒとを有している。
【００５５】
ここで、光信号は、送信装置１００ｓのトランスポンダ１７０ｓから入力され、光スイッチ１２０ｓ、合波器１３１ｓおよびポストアンプ１３２ｓを順に通過し、インラインアンプ３０を経由して伝送され、受信装置１００ｒにおいて、プリアンプ１１１ｒ、分波器１１２ｒ、光スイッチ１２０ｒを順に通過し、トランスポンダ１７０ｒに入力される。
【００５６】
送信装置１００ｓにおいて、トランスポンダ１７０ｓが有する発光制御部１７４ｓは、受信装置１００ｒへ送信される光信号の出力を制御する処理部である。具体的には、この発光制御部１７４ｓは、後述する光シャットダウン通知を受信装置１００ｒから受信すると、受信装置１００ｒへ送信される光信号の出力を停止する。また、発光制御部１７４ｓは、後述する光発光通知を受信装置１００ｒから受信すると、受信装置１００ｒへ送信される光信号の出力を開始する。
【００５７】
受信装置１００ｒにおいて、光制御通知送信部１Ａ０ｒは、運用ルートを介して接続された送信装置１００ｓに対して、光信号の出力に関する指示を通知する処理部である。具体的には、この光制御通知送信部１Ａ０ｒは、図示していない入力手段（キーボードやマウスなど）を介して操作者から閾値設定コマンドが入力されると、送信装置１００ｓに対して、光信号の出力停止を依頼する光シャットダウン通知を送信する。
【００５８】
また、光制御通知送信部１Ａ０ｒは、後述する光入力断検出閾値制御部１７７ｒによって光入力断検出閾値の設定が行われると、送信装置１００ｓに対して、光信号の出力開始を依頼する光発光通知を送信する。
【００５９】
トランスポンダ１７０ｒが有するＰＤモニタ１７５ｒは、ＰＤ１７１ｒによって検知された光の光レベルを計測する処理部である。
【００６０】
光入力断検出回路部１７６ｒは、送信装置１００ｓから運用ルートを介して送信される光の入力断を検出する処理部である。具体的には、この光入力断検出回路部１７６ｒは、通常時には、運用ルート側にある光スイッチ１２０ｒから光信号を入力するが、ＰＤ１７１によって検出される光、すなわち、運用ルートから入力される光の光レベルが光入力断検出閾値以下となった場合には、光スイッチ１７３ｒ（図示せず）を制御して、光信号の入力元を冗長ルート側にある光スイッチ１５０ｒ（図示せず）に切り替える。
【００６１】
光入力断検出閾値制御部１７７ｒは、累積ノイズの光レベルを光入力断検出閾値として設定する処理部である。具体的には、この光入力断検出閾値制御部１７７ｒは、光制御通知送信部１Ａ０ｒにより送信されたシャットダウン通知に応じて送信装置１００ｓが光信号の出力停止を行った後に、ＰＤモニタ１７５ｒにより計測された光レベルを、光入力断検出回路部１７６ｒによって行われる光入力断の基準となる光入力断検出閾値として設定する。
【００６２】
通常、運用ルートから入力され、ＰＤ１７１ｒによって検知される光には、送信装置１００ｓにより送信される光信号だけでなく、光リングネットワークにおいて多段に配置された複数のインラインアンプ３０によって生じたＡＳＥノイズの累計（累計ノイズ）も含まれているが、送信装置１００ｓによって光信号の出力が停止された後では、ＰＤモニタ１７５ｒによって計測される光レベルは累計のノイズの光レベルのみである。
【００６３】
そのため、送信装置１００ｓによって光信号の出力が停止された後に、光入力断検出閾値制御部１７７ｒによって設定される光入力断検出閾値は、光信号の光レベルが除去された、累計ノイズのみの光レベルとなる。
【００６４】
続いて、本実施例１に係る送信装置１００ｓおよび受信装置１００ｒの処理手順について説明する。図３は、本実施例１に係る送信装置１００ｓおよび受信装置１００ｒの処理手順を示すフローチャートである。
【００６５】
同図に示すように、本実施例１では、受信装置１００ｒにおいて、光制御通知送信部１Ａ０ｒが、操作者から閾値設定コマンドを受け付けると（ステップＳ１０１）、送信装置１００ｓに対して、光信号の出力停止を依頼する光シャットダウン通知を送信する（ステップＳ１０２）。
【００６６】
そして、光シャットダウン通知を受信した送信装置１００ｓにおいて、発光制御部１７４ｓが、光信号の出力を停止する（ステップＳ１０３）。
【００６７】
その後、受信装置１００ｒにおいて、ＰＤモニタ１７５ｒが、累計ノイズの光レベルを計測し（ステップＳ１０４）、光入力断検出閾値制御部１７７ｒが、ＰＤモニタ１７５ｒによって計測された光レベルを、光入力断検出の基準となる光入力断検出閾値として設定する（ステップＳ１０５）。
【００６８】
光入力断検出閾値制御部１７７ｒによって光入力断閾値が設定されると、光制御通知送信部１Ａ０ｒが、送信装置１００ｓに対して、光信号の出力開始を依頼する光発光通知を送信する（ステップＳ１０６）。
【００６９】
そして、光発光通知を受信した送信装置１００ｓにおいて、発光制御部１７４ｓが、光信号の出力を開始する（ステップＳ１０７）。
【００７０】
上述してきたように、本実施例１では、受信装置１００ｒにおいて、光制御通知送信部１Ａ０ｒが、運用ルートを介して接続された送信装置１００ｓに対して、光信号の出力停止を依頼する光シャットダウン通知を送信し、光入力断検出閾値制御部１７７ｒが、光制御通知送信部１Ａ０ｒによって送信されたシャットダウン通知に応じて送信装置１００ｓが光信号の出力停止を行った後に、ＰＤモニタ１７５ｒによって計測された光レベルを光入力断検出閾値として設定するので、ＡＳＥノイズの累積量に応じて適切な入力断検出閾値を自動的に設定することができる。また、送信装置１００ｓが光信号の出力を停止するだけで受信装置１００ｒが累積ノイズの光レベルを計測できるので、光受信に関する処理部の改造量を抑えて、容易に適切な入力断検出閾値を設定することができる。
【実施例２】
【００７１】
次に、実施例２について説明する。本実施例２では、受信装置において、運用ルートから入力される光の帯域から光信号が含まれる帯域を削除し、光信号の帯域を削除された累計ノイズのみの光レベルを計測し、計測した光レベルを光入力断検出閾値として設定するようにしている。
【００７２】
図４は、本実施例２に係る送信装置および受信装置を示す図である。なお、ここでは、説明を簡略化するため、本実施例２の特徴を説明する上で必要となる機能部のみを図示するとともに、これまでに示した各機能部と同様の役割を果たす機能部については、同一符号を付すこととしてその詳細な説明を省略する。
【００７３】
同図に示すように、本実施例２に係る送信装置２００ｓと受信装置２００ｒとは、インラインアンプが配置された光リングネットワークを介して接続されている。なお、ここではひとつのインラインアンプ３０のみを図示しているが、光リングネットワーク上には、複数のインラインアンプ３０が多段に配置されている。
【００７４】
送信装置２００ｓは、光スイッチ１２０ｓと、合波器１３１ｓと、ポストアンプ１３２ｓと、波長ごと（Ｃｈ１〜Ｃｈｎ）にそれぞれ設けられたトランスポンダ１７０ｓとを有する。一方、受信装置２００ｒは、プリアンプ１１１ｒと、分波器１１２ｒと、光スイッチ１２０ｒと、波長ごと（Ｃｈ１〜Ｃｈｎ）にそれぞれ設けられたトランスポンダ２７０ｒとを有する。
【００７５】
さらに、受信装置２００ｒの各トランスポンダ２７０ｒは、ＰＤ１７１ｒと、ＰＤモニタ１７５ｒと、光入力断検出回路部１７６ｒと、光入力断検出閾値制御部１７７ｒと、バンドパスフィルター部（Band Pass Filter）２７８ｒとを有している。
【００７６】
ここで、光信号は、送信装置２００ｓのトランスポンダ１７０ｓから入力され、光スイッチ１２０ｓ、合波器１３１ｓおよびポストアンプ１３２ｓを順に通過し、インラインアンプ３０を経由して伝送され、受信装置２００ｒにおいて、プリアンプ１１１ｒ、分波器１１２ｒ、光スイッチ１２０ｒを順に通過して、トランスポンダ２７０ｒに入力される。
【００７７】
受信装置２００ｒにおいて、トランスポンダ２７０ｒが有するバンドパスフィルター部２７８ｒは、運用ルートから入力される光の帯域から光信号が含まれる帯域をカットする処理部である。図５は、バンドパスフィルター部２７８ｒにより行われる光信号帯域のカットを示す図である。同図に示すように、バンドパスフィルター部２７８ｒは、所定のバンドパスフィルターを用いて、運用ルートから入力される光の帯域から光信号が含まれる帯域（同図（１）に示す破線で挟まれた帯域）をカットする。
【００７８】
光信号の帯域がカットされた光は、ＰＤ１７１ｒに入力され、ＰＤモニタ１７５ｒによって、その光レベルが計測される。したがって、ここで計測される光レベルは、光信号が含まれない、累計ノイズのみの光レベルとなる。そして、計測された累積ノイズの光レベルが、光入力断検出閾値制御部１７７ｒによって光入力断検出閾値として設定される。
【００７９】
なお、図５に示すように、バンドパスフィルター部２７８ｒは、バンドパスフィルターによって、光信号の帯域の光信号成分とＡＳＥノイズ成分（同図（１）に示す網掛けの部分）も合わせてカットするが、この帯域は狭い帯域であるため、ＡＳＥノイズの累積量に影響を与えるものではない。
【００８０】
上述してきたように、本実施例２では、受信装置２００ｒにおいて、バンドパスフィルター部２７８ｒが、運用ルートから入力される光の帯域から光信号が含まれる帯域をカットし、ＰＤモニタ１７５ｒが、バンドパスフィルター部２７８ｒによって光信号の帯域がカットされた累計ノイズのみの光レベルを計測し、光入力断検出閾値制御部１７７ｒが、ＰＤモニタ１７５ｒによって計測された光レベルを光入力断検出閾値として設定するので、ＡＳＥノイズの累積量に応じて適切な入力断検出閾値を自動的に設定することができる。また、既存のバンドパスフィルターなどを利用することによって、効果的に適切な入力断検出閾値を設定することができる。
【実施例３】
【００８１】
次に、実施例３について説明する。本実施例３では、受信装置において、運用ルートから入力される光の光信号ノイズ比を測定し、測定した光信号ノイズ比に基づいて、累積ノイズのみの光レベルのみを算出し、算出した光レベルを光入力断検出閾値として設定するようにしている。
【００８２】
図６は、本実施例３に係る送信装置および受信装置を示す図である。なお、ここでは、説明を簡略化するため、本実施例３の特徴を説明する上で必要となる機能部のみを図示するとともに、これまでに示した各機能部と同様の役割を果たす機能部については、同一符号を付すこととしてその詳細な説明を省略する。
【００８３】
同図に示すように、本実施例３に係る送信装置３００ｓと受信装置３００ｒとは、インラインアンプが配置された光リングネットワークを介して接続されている。なお、ここではひとつのインラインアンプ３０のみを図示しているが、光リングネットワーク上には、複数のインラインアンプ３０が多段に配置されている。
【００８４】
送信装置３００ｓは、光スイッチ１２０ｓと、合波器１３１ｓと、ポストアンプ１３２ｓと、波長ごと（Ｃｈ１〜Ｃｈｎ）にそれぞれ設けられたトランスポンダ１７０ｓとを有する。一方、受信装置３００ｒは、プリアンプ１１１ｒと、分波器１１２ｒと、光スイッチ１２０ｒと、波長ごと（Ｃｈ１〜Ｃｈｎ）にそれぞれ設けられたトランスポンダ３７０ｒと、ＳＡＵ３８０ｒとを有する。
【００８５】
さらに、受信装置３００ｒの各トランスポンダ３７０ｒは、ＰＤ１７１ｒと、光入力断検出回路部１７６ｒと、光入力断検出閾値制御部３７７ｒと、ＡＳＥ累積算出部３７９ｒとを有している。
【００８６】
ここで、光信号は、送信装置３００ｓのトランスポンダ１７０ｓから入力され、光スイッチ１２０ｓ、合波器１３１ｓおよびポストアンプ１３２ｓを順に通過し、インラインアンプ３０を経由して伝送され、受信装置３００ｒにおいて、プリアンプ１１１ｒ、分波器１１２ｒ、光スイッチ１２０ｒを順に通過して、トランスポンダ３７０ｒに入力される。
【００８７】
受信装置３００ｒにおいて、ＳＡＵ３８０ｒは、プリアンプ１１１ｒに接続され、運用ルートおよび冗長ルートから入力される光のスペクトル波形を波長単位に計測する処理部である。このＳＡＵ３８０ｒは、計測したスペクトル波形に基づいて、運用ルートから入力される光のＯＳＮＲ（Optical Signal to Ratio：光信号ノイズ比）を測定する。
【００８８】
図７は、ＯＳＮＲを説明するための説明図である。同図に示すように、ＯＳＮＲとは、光信号（Signal Power）に対するノイズの量（ASE Power）を対数で表した比率であり、ｄＢ（デシベル）で表す。すなわち、このＯＳＮＲの数値が大きいほど、ノイズの少ない高品質の光信号が得られることになる。
【００８９】
また、トランスポンダ３７０ｒが有するＡＳＥ累積算出部３７９ｒは、ＳＡＵ３８０ｒによって測定されたＯＳＮＲに基づいて、累積ノイズのみの光レベルのみを算出する処理部である。
【００９０】
光入力断検出閾値制御部３７７ｒは、累積ノイズの光レベルを光入力断検出閾値として設定する処理部である。具体的には、この光入力断検出閾値制御部３７７ｒは、ＡＳＥ累積算出部３７９ｒによって算出された累積ノイズの光レベルを、光入力断検出回路部１７６ｒによって行われる光入力断の基準となる光入力断検出閾値として設定する。
【００９１】
上述してきたように、本実施例３では、受信装置３００ｒにおいて、ＳＡＵ３８０ｒが、運用ルートから入力される光のＯＳＮＲを測定し、ＡＳＥ累積算出部３７９ｒが、ＳＡＵ３８０ｒによって測定されたＯＳＮＲに基づいて、累積ノイズのみの光レベルを算出し、光入力断検出閾値制御部３７７ｒが、ＡＳＥ累積算出部３７９ｒによって算出された光レベルを光入力断検出閾値として設定するので、ＡＳＥノイズの累積量に応じて適切な入力断検出閾値を自動的に設定することができる。また、ＯＳＮＲに基づいて累積ノイズの光レベルを算出するので、効率よく適切な入力断検出閾値を設定することができる。
【実施例４】
【００９２】
次に、実施例４について説明する。本実施例４では、実施例１と同様に、受信装置において、運用ルートを介して接続された送信装置に対して、光信号の出力停止を依頼する光シャットダウン通知を送信し、送信した光シャットダウン通知に応じて送信装置が光信号の出力停止を行った後に、計測した光レベルを光入力断検出閾値として設定するようにしているが、ＳＡＵを用いている点で、実施例１とは異なっている。
【００９３】
図８は、本実施例４に係る送信装置および受信装置を示す図である。なお、ここでは、説明を簡略化するため、本実施例４の特徴を説明する上で必要となる機能部のみを図示するとともに、これまでに示した各機能部と同様の役割を果たす機能部については、同一符号を付すこととしてその詳細な説明を省略する。
【００９４】
同図に示すように、本実施例４に係る送信装置４００ｓと受信装置４００ｒとは、インラインアンプが配置された光リングネットワークを介して接続されている。なお、ここではひとつのインラインアンプ３０のみを図示しているが、光リングネットワーク上には、複数のインラインアンプ３０が多段に配置されている。
【００９５】
送信装置４００ｓは、光スイッチ１２０ｓと、合波器１３１ｓと、ポストアンプ１３２ｓと、波長ごと（Ｃｈ１〜Ｃｈｎ）にそれぞれ設けられたトランスポンダ１７０ｓとを有する。一方、受信装置４００ｒは、プリアンプ１１１ｒと、分波器１１２ｒと、光スイッチ１２０ｒと、波長ごと（Ｃｈ１〜Ｃｈｎ）にそれぞれ設けられたトランスポンダ４７０ｒと、ＳＡＵ４８０ｒとを有する。
【００９６】
さらに、送信装置４００ｓの各トランスポンダ１７０ｓは、発光制御部１７４ｓを有しており、受信装置４００ｒの各トランスポンダ４７０ｒは、ＰＤ１７１ｒと、光入力断検出回路部１７６ｒと、光入力断検出閾値制御部４７７ｒとを有している。
【００９７】
ここで、光信号は、送信装置４００ｓのトランスポンダ１７０ｓから入力され、光スイッチ１２０ｓ、合波器１３１ｓおよびポストアンプ１３２ｓを順に通過し、インラインアンプ３０を経由して伝送され、受信装置４００ｒにおいて、プリアンプ１１１ｒ、分波器１１２ｒ、光スイッチ１２０ｒを順に通過して、トランスポンダ４７０ｒに入力される。
【００９８】
受信装置４００ｒにおいて、ＳＡＵ４８０ｒは、プリアンプ１１１ｒに接続され、運用ルートおよび冗長ルートから入力される光のスペクトル波形を波長単位に計測する処理部である。このＳＡＵ４８０ｒは、図示していない入力手段（キーボードやマウスなど）を介して操作者から閾値設定コマンドが入力されると、送信装置４００ｓに対して、光信号の出力停止を依頼する光シャットダウン通知を送信する。
【００９９】
そして、ＳＡＵ４８０ｒは、送信した光シャットダウン通知に応じて送信装置４００ｓが光信号の出力停止を行った後に、計測したスペクトル波形に基づいて光レベルを計測し、計測した光レベルを光入力断検出閾値制御部４７７ｒに通知する。したがって、ここでＳＡＵ４８０ｒによって通知される光入力断検出閾値は、光信号の光レベルが除去された、累計ノイズのみの光レベルとなる。
【０１００】
また、ＳＡＵ４８０ｒは、後述する光入力断検出閾値制御部４７７ｒによって光入力断検出閾値の設定が行われると、送信装置４００ｓに対して、光信号の出力開始を依頼する光発光通知を送信する。
【０１０１】
光入力断検出閾値制御部４７７ｒは、累積ノイズの光レベルを光入力断検出閾値として設定する処理部である。具体的には、この光入力断検出閾値制御部４７７ｒは、ＳＡＵ４８０ｒから通知された累積ノイズの光レベルを、光入力断検出回路部１７６ｒによって行われる光入力断の基準となる光入力断検出閾値として設定する。
【０１０２】
上述してきたように、本実施例４では、受信装置４００ｒにおいて、ＳＡＵ４８０ｒが、運用ルートを介して接続された送信装置４００ｓに対して、光信号の出力停止を依頼する光シャットダウン通知を送信し、光入力断検出閾値制御部４７７ｒが、ＳＡＵ４８０ｒによって送信された光シャットダウン通知に応じて送信装置４００ｓが光信号の出力停止を行った後に、ＳＡＵ４８０ｒによって計測された光レベルを光入力断検出閾値として設定するので、ＡＳＥノイズの累積量に応じて適切な入力断検出閾値を自動的に設定することができる。また、すでに光レベルを計測する機能を備えたＳＡＵを利用することとしたので、容易に適切な入力断検出閾値を設定することができる。
【実施例５】
【０１０３】
次に、実施例５について説明する。本実施例５では、実施例２と同様に、受信装置において、運用ルートから入力される光の帯域から光信号が含まれる帯域を削除し、光信号の帯域を削除された累計ノイズのみの光レベルを計測し、計測した光レベルを光入力断検出閾値として設定するようにしているが、ＳＡＵを用いている点で、実施例２とは異なっている。
【０１０４】
図９は、本実施例５に係る送信装置および受信装置を示す図である。なお、ここでは、説明を簡略化するため、本実施例５の特徴を説明する上で必要となる機能部のみを図示するとともに、これまでに示した各機能部と同様の役割を果たす機能部については、同一符号を付すこととしてその詳細な説明を省略する。
【０１０５】
同図に示すように、本実施例５に係る送信装置５００ｓと受信装置５００ｒとは、インラインアンプが配置された光リングネットワークを介して接続されている。なお、ここではひとつのインラインアンプ３０のみを図示しているが、光リングネットワーク上には、複数のインラインアンプ３０が多段に配置されている。
【０１０６】
送信装置５００ｓは、光スイッチ１２０ｓと、合波器１３１ｓと、ポストアンプ１３２ｓと、波長ごと（Ｃｈ１〜Ｃｈｎ）にそれぞれ設けられたトランスポンダ１７０ｓとを有する。一方、受信装置５００ｒは、プリアンプ１１１ｒと、分波器１１２ｒと、光スイッチ１２０ｒと、波長ごと（Ｃｈ１〜Ｃｈｎ）にそれぞれ設けられたトランスポンダ５７０ｒと、ＳＡＵ５８０ｒとを有する。
【０１０７】
さらに、送信装置５００ｓの各トランスポンダ１７０ｓは、発光制御部１７４ｓ（図示せず）を有しており、受信装置５００ｒの各トランスポンダ５７０ｒは、ＰＤ１７１ｒと、光入力断検出回路部１７６ｒと、光入力断検出閾値制御部５７７ｒとを有している。
【０１０８】
ここで、光信号は、送信装置５００ｓのトランスポンダ１７０ｓから入力され、光スイッチ１２０ｓ、合波器１３１ｓおよびポストアンプ１３２ｓを順に通過し、インラインアンプ３０を経由して伝送され、受信装置５００ｒにおいて、プリアンプ１１１ｒ、分波器１１２ｒ、光スイッチ１２０ｒを順に通過して、トランスポンダ５７０ｒに入力される。
【０１０９】
受信装置５００ｒにおいて、ＳＡＵ５８０ｒは、プリアンプ１１１ｒに接続され、運用ルートおよび冗長ルートから入力される光のスペクトル波形を波長単位に計測する処理部であり、バンドパスフィルター部（Band Pass Filter）５８１ｒと、ＰＤ５８２ｒと、累計ノイズ計測部５８３ｒとを有する。
【０１１０】
バンドパスフィルター部５８１ｒは、プリアンプ１１１ｒから入力される光（運用ルートから入力される光）の帯域から光信号が含まれる帯域をカットする処理部である。具体的には、このバンドパスフィルター部５８１ｒは、所定のバンドパスフィルターを用いて、プリアンプ１１１ｒから入力される光の帯域から光信号が含まれる帯域をカットし（図５を参照）、その光をＰＤ５８２ｒに入力する
【０１１１】
ＰＤ５８２ｒは、バンドパスフィルター部５８１ｒによって入力された光を検知する半導体素子である。ここで、ＰＤ５８２ｒに入力される光は、すでにバンドパスフィルター部５８１ｒによって光信号の帯域がカットされたものであるので、ＰＤ５８２ｒでは、累計ノイズのみを含む光が検知されることになる。
【０１１２】
累計ノイズ計測部５８３ｒは、ＰＤ５８２ｒによって検知された光の光レベルを計測し、計測した光レベルを光入力断検出閾値制御部５７７ｒに通知する処理部である。ＰＤ５８２ｒによって検知された光は、累計ノイズのみを含むものであるため、ここで累計ノイズ計測部５８３ｒによって通知される光レベルは、光信号の光レベルが除去された、累計ノイズのみの光レベルとなる。
【０１１３】
光入力断検出閾値制御部５７７ｒは、累積ノイズの光レベルを光入力断検出閾値として設定する処理部である。具体的には、この光入力断検出閾値制御部５７７ｒは、累計ノイズ計測部５８３ｒから通知された累積ノイズの光レベルを、光入力断検出回路部１７６ｒによって行われる光入力断の基準となる光入力断検出閾値として設定する。
【０１１４】
上述してきたように、本実施例５では、受信装置５００ｒにおいて、バンドパスフィルター部５８１ｒが、運用ルートから入力される光の帯域から光信号が含まれる帯域をカットし、累計ノイズ計測部５８３ｒが、バンドパスフィルター部５８１ｒによって光信号の帯域がカットされた累計ノイズのみの光レベルを計測し、光入力断検出閾値制御部５７７ｒが、累計ノイズ計測部５８３ｒによって計測された光レベルを光入力断検出閾値として設定するので、ＡＳＥノイズの累積量に応じて適切な入力断検出閾値を自動的に設定することができる。また、すでに光レベルを計測する機能を備えたＳＡＵを利用するとともに、既存のバンドパスフィルターなどを利用することによって、効果的に適切な入力断閾値を設定することができる。
【実施例６】
【０１１５】
次に、実施例６について説明する。本実施例６では、受信装置において、運用ルートに配置されている光増幅器の段数を累計し、累計した光増幅器の累計段数に基づいて、累積ノイズのみの光レベルを算出し、算出した光レベルを前記光入力断検出閾値として設定するようにしている。
【０１１６】
図１０は、本実施例６に係る送信装置および受信装置を示す図である。なお、ここでは、説明を簡略化するため、本実施例６の特徴を説明する上で必要となる機能部のみを図示するとともに、これまでに示した各機能部と同様の役割を果たす機能部については、同一符号を付すこととしてその詳細な説明を省略する。
【０１１７】
同図に示すように、本実施例６に係る送信装置６００ｓと受信装置６００ｒとは、インラインアンプが配置された光リングネットワークを介して接続されている。なお、ここではひとつのインラインアンプ４０のみを図示しているが、光リングネットワーク上には、複数のインラインアンプ４０が多段に配置されている。
【０１１８】
送信装置６００ｓは、光スイッチ１２０ｓと、合波器１３１ｓと、ポストアンプ１３２ｓと、波長ごと（Ｃｈ１〜Ｃｈｎ）にそれぞれ設けられたトランスポンダ１７０ｓと、ＯＳＣ６９０ｓとを有する。一方、受信装置６００ｒは、プリアンプ１１１ｒと、分波器１１２ｒと、光スイッチ１２０ｒと、波長ごと（Ｃｈ１〜Ｃｈｎ）にそれぞれ設けられたトランスポンダ６７０ｒと、ＯＳＣ６９０ｒとを有する。また、インラインアンプ４０は、ＯＳＣ４１を有する。
【０１１９】
さらに、受信装置６００ｒの各トランスポンダ６７０ｒは、ＰＤ１７１ｒと、光入力断検出回路部１７６ｒと、光入力断検出閾値制御部６７７ｒとを有している。
【０１２０】
ここで、光信号は、送信装置６００ｓのトランスポンダ１７０ｓから入力され、光スイッチ１２０ｓ、合波器１３１ｓおよびポストアンプ１３２ｓを順に通過し、インラインアンプ４０を経由して伝送され、受信装置６００ｒにおいて、プリアンプ１１１ｒ、分波器１１２ｒ、光スイッチ１２０ｒを順に通過して、トランスポンダ６７０ｒに入力される。
【０１２１】
送信装置６００ｓにおいて、ＯＳＣ６９０ｓは、ポストアンプ１３２ｓを経由する光の入出力を監視する処理部である。このＯＳＣ６９０ｓは、運用ルートにおいて上流に位置するＯＳＣから下流に位置するＯＳＣに対して順に伝送されるアンプ（ポストアンプ、プリアンプ、インラインアンプなど）の段数の累計に「１」を加算し、その結果をインラインアンプ４０のＯＳＣ４１に送信する。
【０１２２】
インラインアンプ４０において、ＯＳＣ４１は、インラインアンプ４０を経由する光の入出力を監視する処理部である。このＯＳＣ４１は、送信装置６００ｓのＯＳＣ６９０ｓから送信されるアンプの累計段数に、順次、「１」を加算して伝送し、その結果を受信装置６００ｒのＯＳＣ６９０ｒに送信する。インラインアンプ４０は、実際には、複数の台数が多段に配置されているため、ここでは、配置されているインラインアンプ４０の段数分が累計されることになる。
【０１２３】
受信装置６００ｒにおいて、ＯＳＣ６９０ｒは、プリアンプ１１１ｒを経由する光の入出力を監視する処理部である。このＯＳＣ６９０ｒは、インラインアンプ４０のＯＳＣ４１からアンプの累計段数が送信されると、そのアンプの累計段数を後述する光入力断検出閾値制御部６７７ｒに通知する。
【０１２４】
光入力断検出閾値制御部６７７ｒは、累積ノイズの光レベルを光入力断検出閾値として設定する処理部である。具体的には、この光入力断検出閾値制御部６７７ｒは、ＯＳＣ６９０ｒから通知されたアンプの累計段数に基づいて、累積ノイズのみの光レベルを算出する。ここで、たとえば、光入力断検出閾値制御部６７７ｒは、アンプ一段あたりのＡＳＥノイズの設計値にアンプの段数を乗じることによって、累積ノイズの光レベルを算出する。
【０１２５】
そして、光入力断検出閾値制御部６７７ｒは、算出した光レベルを、光入力断検出回路部１７６ｒによって行われる光入力断の基準となる光入力断検出閾値として設定する。
【０１２６】
上述してきたように、本実施例６では、受信装置６００ｒにおいて、ＯＳＣ６９０ｒが、運用ルートに配置されているアンプの段数を累計し、光入力断検出閾値制御部６７７ｒが、ＯＳＣ６９０ｒによって累計されたアンプの累計段数に基づいて、累積ノイズのみの光レベルを算出し、算出した光レベルを光入力断検出閾値として設定するので、ＡＳＥノイズの累積量に応じて適切な入力断検出閾値を自動的に設定することができる。また、すでに監視情報を伝達する機能を備えたＯＳＣを利用することによって、光増幅器の段数に応じて適切な入力断検出閾値を自動的に設定することができる。
【実施例７】
【０１２７】
次に、実施例７について説明する。本実施例７では、実施例６と同様に、受信装置において、運用ルートに配置されている光増幅器の段数を累計し、累計した光増幅器の累計段数に基づいて、累積ノイズのみの光レベルを算出し、算出した光レベルを光入力断検出閾値として設定するようにしているが、ＯＳＣが光レベルを算出する点で、実施例６とは異なっている。
【０１２８】
図１１は、本実施例７に係る送信装置および受信装置を示す図である。なお、ここでは、説明を簡略化するため、本実施例７の特徴を説明する上で必要となる機能部のみを図示するとともに、これまでに示した各機能部と同様の役割を果たす機能部については、同一符号を付すこととしてその詳細な説明を省略する。
【０１２９】
同図に示すように、本実施例７に係る送信装置７００ｓと受信装置７００ｒとは、インラインアンプが配置された光リングネットワークを介して接続されている。なお、ここではひとつのインラインアンプ４０のみを図示しているが、光リングネットワーク上には、複数のインラインアンプ４０が多段に配置されている。
【０１３０】
送信装置７００ｓは、光スイッチ１２０ｓと、合波器１３１ｓと、ポストアンプ１３２ｓと、波長ごと（Ｃｈ１〜Ｃｈｎ）にそれぞれ設けられたトランスポンダ１７０ｓと、ＯＳＣ６９０ｓとを有する。一方、受信装置７００ｒは、プリアンプ１１１ｒと、分波器１１２ｒと、光スイッチ１２０ｒと、波長ごと（Ｃｈ１〜Ｃｈｎ）にそれぞれ設けられたトランスポンダ７７０ｒと、ＯＳＣ７９０ｒとを有する。また、インラインアンプ４０は、ＯＳＣ４１を有する。
【０１３１】
さらに、受信装置７００ｒの各トランスポンダ７７０ｒは、ＰＤ１７１ｒと、光入力断検出回路部１７６ｒと、光入力断検出閾値制御部７７７ｒとを有している。
【０１３２】
ここで、光信号は、送信装置７００ｓのトランスポンダ１７０ｓから入力され、光スイッチ１２０ｓ、合波器１３１ｓおよびポストアンプ１３２ｓを順に通過し、インラインアンプ４０を経由して伝送され、受信装置７００ｒにおいて、プリアンプ１１１ｒ、分波器１１２ｒ、光スイッチ１２０ｒを順に通過して、トランスポンダ７７０ｒに入力される。
【０１３３】
受信装置７００ｒにおいて、ＯＳＣ７９０ｒは、プリアンプ１１１ｒを経由する光の入出力を監視する処理部である。このＯＳＣ７９０ｒは、インラインアンプ４０のＯＳＣ４１からアンプの累計段数が送信されると、その累計段数に基づいて、累積ノイズのみの光レベルを算出する。ここで、たとえば、ＯＳＣ７９０ｒは、アンプ一段あたりのＡＳＥノイズの設計値にアンプの累計段数を乗じることによって、累積ノイズの光レベルを算出する。そして、ＯＳＣ７９０ｒは、算出した光レベルを後述する光入力断検出閾値制御部７７７ｒに通知する。
【０１３４】
光入力断検出閾値制御部７７７ｒは、累積ノイズの光レベルを光入力断検出閾値として設定する処理部である。具体的には、この光入力断検出閾値制御部７７７ｒは、ＯＳＣ７９０ｒから通知された累積ノイズの光レベルを、光入力断検出回路部１７６ｒによって行われる光入力断の基準となる光入力断検出閾値として設定する。
【０１３５】
上述してきたように、本実施例７では、受信装置７００ｒにおいて、ＯＳＣ７９０ｒが、運用ルートに配置されているアンプの段数を累計し、累計されたアンプの累計段数に基づいて、累積ノイズのみの光レベルを算出し、光入力断検出閾値制御部７７７ｒが、ＯＳＣ７９０ｒによって算出された光レベルを光入力断検出閾値として設定するので、ＡＳＥノイズの累積量に応じて適切な入力断検出閾値を自動的に設定することができる。また、すでに監視情報を伝達する機能を備えたＯＳＣを利用しつつ、光受信に関する処理部の改造量を抑えて、光増幅器の段数に応じて、容易に適切な入力断検出閾値を自動的に設定することができる。
【実施例８】
【０１３６】
次に、実施例８について説明する。本実施例８では、受信装置が、運用ルートに多段に配置されている各光増幅器において実際に生じたノイズの光レベルを累計し、累計した光レベルを光入力断検出閾値として設定するようにしている。
【０１３７】
図１２は、本実施例８に係る送信装置および受信装置を示す図である。なお、ここでは、説明を簡略化するため、本実施例８の特徴を説明する上で必要となる機能部のみを図示するとともに、これまでに示した各機能部と同様の役割を果たす機能部については、同一符号を付すこととしてその詳細な説明を省略する。
【０１３８】
同図に示すように、本実施例８に係る送信装置８００ｓと受信装置８００ｒとは、インラインアンプが配置された光リングネットワークを介して接続されている。なお、ここではひとつのインラインアンプ５０のみを図示しているが、光リングネットワーク上には、複数のインラインアンプ５０が多段に配置されている。
【０１３９】
送信装置８００ｓは、光スイッチ１２０ｓと、合波器１３１ｓと、ポストアンプ１３２ｓと、波長ごと（Ｃｈ１〜Ｃｈｎ）にそれぞれ設けられたトランスポンダ１７０ｓと、ＯＳＣ８９０ｓとを有する。一方、受信装置８００ｒは、プリアンプ１１１ｒと、分波器１１２ｒと、光スイッチ１２０ｒと、波長ごと（Ｃｈ１〜Ｃｈｎ）にそれぞれ設けられたトランスポンダ８７０ｒと、ＯＳＣ８９０ｒとを有する。また、インラインアンプ５０は、ＯＳＣ５１を有する。
【０１４０】
さらに、受信装置８００ｒの各トランスポンダ８７０ｒは、ＰＤ１７１ｒと、光入力断検出回路部１７６ｒと、光入力断検出閾値制御部８７７ｒとを有している。
【０１４１】
ここで、光信号は、送信装置８００ｓのトランスポンダ１７０ｓから入力され、光スイッチ１２０ｓ、合波器１３１ｓおよびポストアンプ１３２ｓを順に通過し、インラインアンプ５０を経由して伝送され、受信装置８００ｒにおいて、プリアンプ１１１ｒ、分波器１１２ｒ、光スイッチ１２０ｒを順に通過して、トランスポンダ８７０ｒに入力される。
【０１４２】
送信装置８００ｓにおいて、ＯＳＣ８９０ｓは、ポストアンプ１３２ｓを経由する光の入出力を監視する処理部である。このＯＳＣ８９０ｓは、ポストアンプ１３２ｓによって実際に生じたＡＳＥノイズの光レベルを算出し、算出した光レベルを、運用ルートの上流において上流に位置するＯＳＣから下流に位置するＯＳＣに対して順に伝送されるＡＳＥノイズの光レベルの累計に加算し、その結果をインラインアンプ５０のＯＳＣ５１に送信する。
【０１４３】
インラインアンプ５０において、ＯＳＣ５１は、インラインアンプ５０を経由する光の入出力を監視する処理部である。このＯＳＣ５１は、インラインアンプ５０によって実際に生じたＡＳＥノイズの光レベルを算出し、順次、算出した光レベルを送信装置８００ｓのＯＳＣ８９０ｓから送信されるＡＳＥノイズの光レベルの累計に加算して伝送し、その結果を受信装置８００ｒのＯＳＣ８９０ｒに送信する。インラインアンプ５０は、実際には、複数の台数が多段に配置されているため、ここでは、配置されているインラインアンプ５０の段数分が累計されることになる。
【０１４４】
受信装置８００ｒにおいて、ＯＳＣ８９０ｒは、プリアンプ１１１ｒを経由する光の入出力を監視する処理部である。このＯＳＣ８９０ｒは、インラインアンプ５０のＯＳＣ５１からＡＳＥノイズの光レベルの累計が送信されると、プリアンプ１１１ｒによって実際に生じたＡＳＥノイズの光レベルを算出し、算出した光レベルを、ＯＳＣ５１から送信されたＡＳＥノイズの光レベルの累計に加算し、その結果を後述する光入力断検出閾値制御部８７７ｒに通知する。
【０１４５】
光入力断検出閾値制御部８７７ｒは、累積ノイズの光レベルを光入力断検出閾値として設定する処理部である。具体的には、この光入力断検出閾値制御部８７７ｒは、ＯＳＣ８９０ｒから通知されたＡＳＥノイズの光レベルの累計を、光入力断検出回路部１７６ｒによって行われる光入力断の基準となる光入力断検出閾値として設定する。
【０１４６】
上述してきたように、本実施例８では、受信装置８００ｒにおいて、ＯＳＣ８９０ｒが、各アンプにおいて実際に生じたノイズの光レベルを累計し、光入力断検出閾値制御部８７７ｒが、ＯＳＣ８９０ｒによって累計された光レベルを光入力断検出閾値として設定するので、ＡＳＥノイズの累積量に応じて適切な入力断検出閾値を自動的に設定することができる。
【０１４７】
ところで、前述した実施例６および７では、ＡＳＥノイズの累積の算出は、簡易的にアンプ一段あたりのＡＳＥノイズの設計値にアンプの段数を乗じて行うため、実際のＡＳＥノイズの累積と比べた場合に多少の差分が生じる。たとえば、アンプ一段あたりのＡＳＥノイズの設計値を５ｄＢｍとした場合、アンプが３段あるとすると、ＡＳＥノイズの累積は５ｄＢｍ×３段＝１５ｄＢｍとなる。
【０１４８】
これに対し、本実施例８では、実際にアンプによって生じたＡＳＥノイズの累積を算出して、光入力断検出閾値を設定しているため、実施例６および７よりも正確な精度で閾値設定が可能となる。
【０１４９】
以上、本発明に係る実施例１〜８について説明したが、上述してきたように、従来は、受信装置の光入力断検出の閾値が固定であったため、光増幅器にて発生したＡＳＥノイズの累積によって光入力断検出が確実に行えないことがあったが、本発明を用いることによって、光入力断検出の閾値を自動で設定でき、ＡＳＥノイズの累積に関わらず、光入力断検出が確実に実施でき、高品質な光伝送装置の提供が可能になる。
【０１５０】
また、上記実施例では、いずれもトランスポンダごとにＡＳＥノイズの蓄積量を検出して、光入力断検出閾値を設定するので、波長ごとに適切な入力断検出閾値を自動的に設定することができる。
【０１５１】
また、上記実施例では、ＷＤＭ伝送装置について説明したが、ＷＤＭ伝送装置が有する構成をソフトウェアによって実現することで、同様の機能を有する光入力断検出閾値設定プログラムを得ることができる。そこで、この光入力断検出閾値設定プログラムを実行するコンピュータについて説明する。
【０１５２】
図１３は、本実施例に係る光入力断検出閾値設定プログラムを実行するコンピュータの構成を示す機能ブロック図である。同図に示すように、このコンピュータ９００は、ＲＡＭ（Random Access Memory）９１０と、ＣＰＵ（Central Processing Unit）９２０と、ＨＤＤ（Hard Disk Drive）９３０と、入出力インタフェース９４０と、クライアントネットワークインタフェース９５０と、ＷＤＭネットワークインタフェース９６０とを有する。
【０１５３】
ＲＡＭ９１０は、プログラムやプログラムの実行途中結果などを記憶するメモリであり、ＣＰＵ９２０は、ＲＡＭ９１０からプログラムを読み出して実行する中央処理装置である。
【０１５４】
ＨＤＤ９３０は、プログラムやデータを格納するディスク装置であり、入出力インタフェース９４０は、マウスやキーボードなどの入力装置および表示装置を接続するためのインタフェースである。
【０１５５】
クライアントネットワークインタフェース９５０は、コンピュータ９００をネットワーク経由でクライアント装置に接続するためのインタフェースであり、ＷＤＭネットワークインタフェース９６０は、ネットワーク経由で他のＷＤＭ伝送装置に接続するためのインタフェースである。
【０１５６】
そして、このコンピュータ９００において実行される光入力断検出閾値設定プログラム９１１は、たとえば、クライアントネットワークインタフェース９５０を介して接続されたクライアント装置のデータベースなどに記憶され、これらのデータベースから読み出されてコンピュータ９００にインストールされる。
【０１５７】
そして、インストールされた光入力断検出閾値設定プログラム９１１は、ＨＤＤ９３０に記憶され、ＲＡＭ９１０に読み出されてＣＰＵ９２０によって光入力断検出閾値設定プロセス９２１として実行される。
【０１５８】
また、本実施例において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１５９】
この他、上記文書中や図面中で示した処理手順、制御手順、具体的名称、各種のデータやパラメータを含む情報については、特記する場合を除いて任意に変更することができる。
【０１６０】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１６１】
さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【０１６２】
（付記１）現用系の光伝送路から入力される光の光レベルが、光入力断を検出する基準となる光入力断検出閾値以下となった場合に、光信号を受信する光伝送路を現用系から予備系に切り替える光伝送装置であって、
前記現用系の光伝送路から入力される光の光レベルを計測する光レベル計測手段と、
前記光レベル計測手段により計測された光レベルのうち累積ノイズの光レベルのみを検出し、検出した光レベルを前記光入力断検出閾値として設定する光入力断検出閾値設定手段と、
を備えたことを特徴とする光伝送装置。
【０１６３】
（付記２）前記現用系の光伝送路を介して接続された送信元の光伝送装置に対して、光信号の出力停止を依頼する光シャットダウン通知を送信する光シャットダウン通知送信手段をさらに備え、
前記光入力断検出閾値設定手段は、前記光シャットダウン通知送信手段により送信された光シャットダウン通知に応じて前記送信元の光伝送装置が光信号の出力停止を行った後に、前記光レベル計測手段により計測された光レベルを前記光入力断検出閾値として設定することを特徴とする付記１に記載の光伝送装置。
【０１６４】
（付記３）前記現用系の光伝送路から入力される光の帯域から光信号が含まれる帯域を削除する光信号帯域削除手段をさらに備え、
前記光レベル計測手段は、前記光信号帯域削除手段により前記光信号の帯域が削除された累計ノイズのみの光レベルを計測し、
前記光入力断検出閾値設定手段は、前記光レベル計測手段により計測された光レベルを前記光入力断検出閾値として設定することを特徴とする付記１に記載の光伝送装置。
【０１６５】
（付記４）前記現用系の光伝送路から入力される光の光信号ノイズ比を測定する光信号ノイズ比測定手段と、
前記光信号ノイズ比測定手段により測定された光信号ノイズ比に基づいて、累積ノイズのみの光レベルを算出する累積ノイズレベル算出手段と、をさらに備え、
前記光入力断検出閾値設定手段は、前記累積ノイズレベル算出手段により算出された光レベルを前記光入力断検出閾値として設定することを特徴とする付記１に記載の光伝送装置。
【０１６６】
（付記５）前記現用系の光伝送路に配置されている光増幅器の段数を累計する光増幅器段数累計手段と、
前記光増幅器段数累計手段により累計された前記光増幅器の累計段数に基づいて、前記累積ノイズのみの光レベルを算出する累積ノイズレベル算出手段と、をさらに備え、
前記光入力断検出閾値設定手段は、前記累積ノイズレベル算出手段により算出された光レベルを前記光入力断検出閾値として設定することを特徴とする付記１に記載の光伝送装置。
【０１６７】
（付記６）前記現用系の光伝送路に多段に配置されている各光増幅器において実際に生じたノイズの光レベルを累計するノイズレベル累計手段をさらに備え、
前記光入力断検出閾値設定手段は、前記ノイズレベル累計手段により累計された光レベルを前記光入力断検出閾値として設定することを特徴とする付記１に記載の光伝送装置。
【０１６８】
（付記７）現用系の光伝送路から入力される光の光レベルが、光入力断を検出する基準となる光入力断検出閾値以下となった場合に、光信号を受信する光伝送路を現用系から予備系に切り替える光伝送装置に適用される光入力断検出閾値設定方法であって、
前記現用系の光伝送路から入力される光の光レベルを計測する光レベル計測工程と、
前記光レベル計測工程により計測された光レベルのうち累積ノイズの光レベルのみを検出し、検出した光レベルを前記光入力断検出閾値として設定する光入力断検出閾値設定工程と、
を含んだことを特徴とする光入力断検出閾値設定方法。
【０１６９】
（付記８）現用系の光伝送路から入力される光の光レベルが、光入力断を検出する基準となる光入力断検出閾値以下となった場合に、光信号を受信する光伝送路を現用系から予備系に切り替える光伝送装置に適用される光入力断検出閾値設定プログラムであって、
前記現用系の光伝送路から入力される光の光レベルを計測する光レベル計測手順と、
前記光レベル計測手順により計測された光レベルのうち累積ノイズの光レベルのみを検出し、検出した光レベルを前記光入力断検出閾値として設定する光入力断検出閾値設定手順と、
をコンピュータに実行させることを特徴とする光入力断検出閾値設定プログラム。
【産業上の利用可能性】
【０１７０】
以上のように、本発明に係る光伝送装置、光入力断検出閾値設定方法および光入力断検出閾値設定プログラムは、ＯＵＰＳＲ技術が用いられた光リングネットワークにおいて有用であり、特に、光伝送路上に光増幅装置が多段に配置されている場合に適している。
【図面の簡単な説明】
【０１７１】
【図１】本発明を適用するＷＤＭ装置の構成を示す機能ブロック図である。
【図２】本実施例１に係る送信装置および受信装置を示す図である。
【図３】本実施例１に係る送信装置および受信装置の処理手順を示すフローチャートである。
【図４】本実施例２に係る送信装置および受信装置を示す図である。
【図５】バンドパスフィルター部により行われる光信号帯域のカットを示す図である。
【図６】本実施例３に係る送信装置および受信装置を示す図である。
【図７】ＯＳＮＲを説明するための説明図である。
【図８】本実施例４に係る送信装置および受信装置を示す図である。
【図９】本実施例５に係る送信装置および受信装置を示す図である。
【図１０】本実施例６に係る送信装置および受信装置を示す図である。
【図１１】本実施例７に係る送信装置および受信装置を示す図である。
【図１２】本実施例８に係る送信装置および受信装置を示す図である。
【図１３】本実施例に係る光入力断検出閾値設定プログラムを実行するコンピュータの構成を示す機能ブロック図である。
【図１４】ＯＵＰＳＲ技術を説明するための説明図である。
【図１５】多段に配置された中継ＡＭＰによるＡＳＥノイズの累積を示す図である。
【符号の説明】
【０１７２】
１０ｓ，１０ｒ    光伝送装置
２０    クライアント装置
３０，４０，５０    インラインアンプ
４１，５１    ＯＳＣ
１００    ＷＤＭ伝送装置
１１０，１４０    光信号受信部
１１１，１４１    プリアンプ
１１２，１４２    分波器
１２０，１５０    光スイッチ
１３０，１６０    光信号送信部
１３１，１６１    合波器
１３２，１６２    ポストアンプ
１７０    トランスポンダ
１７１，１７２    ＰＤ
１７３    光スイッチ
１８０    ＳＡＵ
１９０    ＯＳＣ
１００ｓ，２００ｓ，３００ｓ，４００ｓ，５００ｓ，６００ｓ，７００ｓ，８００ｓ    送信装置
１２０ｓ    光スイッチ
１３１ｓ    合波器
１３２ｓ    ポストアンプ
１７０ｓ    トランスポンダ
１７４ｓ    発光制御部
６９０ｓ，８９０ｓ    ＯＳＣ
１００ｒ，２００ｒ，３００ｒ，４００ｒ，５００ｒ，６００ｒ，７００ｒ，８００ｒ    受信装置
１１１ｒ    プリアンプ
１１２ｒ    分波器
１２０ｒ    光スイッチ
１５０ｒ    光スイッチ
１７０ｒ，２７０ｒ，３７０ｒ，４７０ｒ，５７０ｒ，６７０ｒ，７７０ｒ，８７０ｒ    トランスポンダ
１７１ｒ    ＰＤ
１７３ｒ    光スイッチ
１７５ｒ    ＰＤモニタ
１７６ｒ    光入力断検出回路部
１７７ｒ，３７７ｒ，４７７ｒ，５７７ｒ，６７７ｒ，７７７ｒ，８７７ｒ    光入力断検出閾値制御部
１Ａ０ｒ    光制御通知送信部
２７８ｒ    バンドパスフィルター部
３７９ｒ    ＡＳＥ累積算出部
３８０ｒ，４８０ｒ，５８０ｒ    ＳＡＵ
５８１ｒ    バンドパスフィルター部
５８２ｒ    ＰＤ
５８３ｒ    累計ノイズ計測部
６９０ｒ，７９０ｒ，８９０ｒ    ＯＳＣ
９００    コンピュータ
９１０    ＲＡＭ
９１１    光入力断検出閾値設定プログラム
９２０    ＣＰＵ
９２１    光入力断検出閾値設定プロセス
９３０    ＨＤＤ
９４０    入出力インタフェース
９５０    クライアントネットワークインタフェース
９６０    ＷＤＭネットワークインタフェース
【図１】
2009130505.tif 000003
【図２】
2009130505.tif 000004
【図３】
2009130505.tif 000005
【図４】
2009130505.tif 000006
【図５】
2009130505.tif 000007
【図６】
2009130505.tif 000008
【図７】
2009130505.tif 000009
【図８】
2009130505.tif 000010
【図９】
2009130505.tif 000011
【図１０】
2009130505.tif 000012
【図１１】
2009130505.tif 000013
【図１２】
2009130505.tif 000014
【図１３】
2009130505.tif 000015
【図１４】
2009130505.tif 000016
【図１５】
2009130505.tif 000017